(57)【特許請求の範囲】
【請求項１】
建築物の上部に端部が固定されて垂下配設された吊りロープ部材にゴンドラに備えられた係合駆動装置が係合し、前記ゴンドラが前記吊りロープ部材によって吊り下げ支持されると共に前記係合駆動装置の駆動によって前記吊りロープ部材に沿って昇降するゴンドラ装置において、
前記吊りロープ部材が挿通可能な回転軸と、前記回転軸と偏心して設けられた回転駆動手段と、前記回転駆動手段から前記回転軸に回転力を伝達する回転力伝達機構と、前記回転軸に毛先を回転中心に向けて支持されたブラシ部材と、を備えて構成されていることを特徴とするゴンドラ装置における吊りロープの塵埃除去装置。
【発明の詳細な説明】
【０００１】
【産業上の利用分野】
本発明は、ゴンドラが吊りロープ部材によって吊り下げ支持されると共に吊りロープ部材に係合する係合駆動装置の駆動によって吊りロープ部材に沿って昇降するゴンドラ装置において、吊りロープ部材の外周に付着した塵埃を除去する、ゴンドラ装置における吊りロープの塵埃除去装置に関する。
【０００２】
【従来の技術】
従来より、ビル等の建築物の外壁面の施工や補修等の作業を行う際には、作業者が乗り込むことのできるゴンドラを壁面に沿って昇降可能に支持したゴンドラ装置を用いることが多く行われている。
【０００３】
このようなゴンドラ装置として、建築物の上部に端部が固定されて垂下配設された吊りロープ部材にゴンドラに備えられた係合駆動装置が係合し、ゴンドラが吊りロープ部材によって吊り下げ支持されると共に係合駆動装置の駆動によって吊りロープ部材に沿って昇降するように構成されたものがある。
【０００４】
係合駆動装置は、いわゆるエンドレスワインダーと呼ばれるものであって、吊りロープを回転駆動可能なシーブに一回〜数回巻回し、シーブの回転駆動によって吊りロープのシーブを巻回する位置が変化して吊りロープを巻取ることなく吊りロープによる吊り下げ支持と吊りロープに沿った移動（昇降）を可能とするように構成されているものである。
【０００５】
【発明が解決しようとする課題】
ところで、ゴンドラを利用して行う作業には、建築物外面の塗装、ケレン、シーリングや煙突の内壁の補修・点検等、汚れを伴うものも多く、このような作業では吊りロープに塵埃が付着する。
【０００６】
吊りロープに塵埃が付着すると、特に前述のごとくゴンドラの昇降域全域に亙って吊りロープが垂下配設されると共にこの吊りロープに係合する係合駆動装置の駆動によってゴンドラが吊りロープに沿って昇降する構成のゴンドラ装置では、係合駆動装置内部に塵埃が蓄積されて円滑な作動に支障をきたし、極端な場合には昇降不能となるという問題があった。
【０００７】
従来は、シーブ等の機構が内設された匡体の吊りロープ挿通孔部位に、吊りロープ部材の外周に密着するゴム製のシール部材を設ける等して吊りロープに付着した塵埃の係合駆動装置匡体内への浸入を防ぐような対策が採られていたが、シール部材が容易に磨耗してしまうと共に頑強に付着している塵埃を排除することは困難であり、効果的に塵埃の浸入を防止することはできないものであった。
【０００８】
本発明は、上記問題に鑑みてなされたものであって、吊りロープに付着した塵埃を完全に除去することができ、係合駆動装置内に浸入した塵埃が蓄積されることによる不具合の発生を防止することのできるゴンドラ装置における吊りロープの塵埃除去装置を提供しようとするものである。
【０００９】
【課題を解決するための手段】
上記目的を達成する本発明のゴンドラ装置における吊りロープの塵埃除去装置は、建築物の上部に端部が固定されて垂下配設された吊りロープ部材にゴンドラに備えられた係合駆動装置が係合し、前記ゴンドラが前記吊りロープ部材によって吊り下げ支持されると共に前記係合駆動装置の駆動によって前記吊りロープ部材に沿って昇降するゴンドラ装置において、前記吊りロープ部材が挿通可能な回転軸と、前記回転軸と偏心して設けられた回転駆動手段と、前記回転駆動手段から前記回転軸に回転力を伝達する回転力伝達機構と、前記回転軸に毛先を回転中心に向けて支持されたブラシ部材と、を備えて構成されていることを特徴とする。
【００１０】
【作用】
ブラシ部材の毛先が回転軸に挿通された吊りロープ部材に当接し、回転力伝達機構を介して伝達される回転駆動手段の回転力によって回転軸が回転駆動されると、ブラシ部材が吊りロープ部材を中心として周回してその毛先で吊りロープ部材の外周に付着した塵埃を除去する。
【００１１】
【発明の実施例】
以下、添付図面を参照して本発明の実施例を説明する。
図１は本発明に係るゴンドラ装置における吊りロープの塵埃除去装置の一実施例を備えたゴンドラ装置の使用状態を示す全体構成図である。
【００１２】
図示ゴンドラ装置は、煙突１の内部の点検・補修等に用いられるものであり、煙突１の先端近傍の外面周囲に配設された歩廊２の手摺に端部が固定された吊り元ワイヤロープ３によって、吊り元構造物１０が煙突１の内部の所定位置に吊り下げられ、この吊り元構造物１０から屋根２０とゴンドラ３０がそれぞれ屋根吊りワイヤロープ４又は吊りロープ部材としての吊りワイヤロープ５を介して吊り下げられて構成されている。尚、このように吊り元構造物１０を介してゴンドラ３０が吊り下げ支持されているのは、当該実施例のゴンドラ装置が上端が屈曲している煙突１を対象としているためであり、本願発明はこの構成に限るものではない。
【００１３】
吊り元構造物１０は、その平面図を図２に示すように、平面形状が正三角形の枠１１の頂角部から先端にローラー１３を備えた腕１２が外周側に延設されると共に、枠１１の各辺の中央にそれぞれ直角に固定されたステー１４が枠１１の中央（全体の中心位置）で交差結合されて構成されている。その頂角部と中心部がそれぞれ吊り元ワイヤロープ３によって支持され、煙突１内の所定位置にローラー１３が内周面１Ａに当接した状態で水平に配置される。ステー１４の中央結合部からは、一本の屋根吊りワイヤロープ４が垂下配設され、この屋根吊りワイヤロープ４によって屋根２０を吊り下げ支持している。また、頂角部の下側には、それぞれ吊りシーブ１５が回転自在に設けられており（即ち吊りシーブ１５は周方向を三等分する位置三カ所に設けられている）、これら吊りシーブ１５をそれぞれ巻回した三本の吊りワイヤロープ５によってゴンドラ３０を吊り下げ支持している。
【００１４】
屋根２０は、図３にその平面図を示すように、平面形状略円形の傘状の構造物であって、中央上面に備えられたエンドレスワインダー２１が屋根吊りワイヤロープ４と係合して当該屋根吊りワイヤロープ４に支持され、外周所定位置に配設されたローラー２２が煙突１の内周面１Ａに当接して水平に設けられている。エンドレスワインダー２１は、ロープを回転駆動可能なシーブに一回〜数回巻回し、シーブの回転駆動によってロープのシーブを巻回する位置が変化してロープを巻取ることなくロープへの係合とロープに沿った移動を可能とするように構成されているものであり、このエンドレスワインダー２１の駆動によって、屋根２０は、水平状態を保って昇降する。この屋根２０の昇降は、通常は後述するゴンドラ３０の昇降と連動し屋根２０はゴンドラ３０の上方に所定間隔を有して位置し、ゴンドラ３０の上部を覆って塵や埃がゴンドラ３０に降りかかるのを防ぐ。また、エンドレスワインダー２１と対応する屋根２０の下面側には、ロープリール２３が中央の支持軸で回転自在に設けられており、屋根２０を上昇駆動する際にエンドレスワインダー２１から繰り出される屋根吊りワイヤロープ４がそのこわさでロープリール２３を回転させつつ収容されるようになっている。
【００１５】
ゴンドラ３０は、図４に平面状態を、図５に正面状態をそれぞれ示すように、平面形状が円形に近い多角形（十二角形）で中央に開口部を有するドーナツ状のデッキベース３１の外周縁及び内周縁に所定高さのフェンスが設けられ、内周側のフェンスの外側（内周側）の円周を三等分する三カ所に支持柱３２が鉛直に立設されると共に、これら三本の支持柱３２を耐力バー３３が正三角形状に結合して補強し、更にデッキベース３１の内周側又は外周側に作業者が乗り込むことのできる所定幅のデッキ部３４が増設される（図４は内周側にデッキ部３４が増設された例）ように構成されている。即ち、図４に示すようにデッキベース３１の内周側にデッキ部３４が増設され、又は、図６に平面状態を示すようにデッキベース３１の外周側にデッキ部３４が増設されることで全体の外径が変化し、通常先細りのテーパー状に形成される煙突１の内径の変化に対応できるようになっているものである。デッキベース３１の外周にデッキ部３４が増設された場合には、当該デッキ部３４の外周に煙突１の内周面１Ａに当接する複数のガイドローラー３５が配設され、デッキベース３１の内周側にデッキ部３４が増設された場合には、デッキベース３１の外周に複数のガイドローラー３５が配設される。
【００１６】
各支持柱３２立設部位と隣接するデッキベース３１内には、係合駆動装置としてのエンドレスワインダー３６がそれぞれ二個設けられており、これら二個のエンドレスワインダー３６が吊り元構造物１０に設けられた吊りシーブ１５に掛けられた（上側を巻回する）一本の吊りワイヤロープ５の両端それぞれに係合している。これにより、ゴンドラ３０は三本の吊りワイヤーロープ５によって吊り下げ支持され、三カ所計六個のエンドレスワインダー３６を同期駆動することによって水平状態を保って昇降するようになっている。エンドレスワインダー３６は、前述の屋根２０に設けられたもの（エンドレスワインダー２１）と同様に構成されたものである。
【００１７】
三カ所のエンドレスワインダー３６配設部位の構成は全く同様であり、以下、一カ所を例に説明する。
【００１８】
二個のエンドレスワインダー３６は、ゴンドラ３０の中心と支持柱３２とを結ぶ径方向の線を挟んで略対称に配置され、両エンドレスワインダー３６のロープ導入口はゴンドラ３０の中心と支持柱３２とを結ぶ径方向の線から吊り元構造物１０に設けられた吊りシーブ１５の半径と等しい距離離れた位置に設定（即ち両エンドレスワインダー３６のロープ挿通口の間隔は吊りシーブ１５の径と等しく設定）されており、吊り元構造物１０の吊りシーブ１５からエンドレスワインダー３６に至る吊りワイヤロープ５は支持柱３２の外周側に鉛直（支持柱３２と平行）となるようになっている。
【００１９】
両エンドレスワインダー３６と対応するデッキベース３１の下面側には、それぞれゴンドラ３０上昇時にエンドレスワインダー３６から繰り出される吊りワイヤーロープ５を収容するロープリール３７が設けられている。ロープリール３７の構成は屋根２０に設けられた前述のロープリール２３と同様である。
【００２０】
支持柱３２の上端部には、図７に拡大側面図、図８にその平面図を示すように、本願発明に係る塵埃除去装置の一実施例である吊りロープクリーニング装置４０が、外周側に向けて水平に延設されたアーム３２Ａによって支持されて設けられており、エンドレスワインダー３６に至る吊りワイヤロープ５はこの吊りロープクリーニング装置４０を貫通している。
【００２１】
吊りロープクリーニング装置４０は、長方体状のギアケース４１の上側に二個の回転ブラシ機構５０が吊りワイヤロープ５の間隔と等しい間隔で設けられると共に、両者の中間の下側に回転駆動手段としてのギアモーター４２を備えて構成されている。
【００２２】
回転ブラシ機構５０は、回転軸５１の上端に固定された略正方形の支持台５２の上面に設けられた四個のブラシ部材としてのワイヤブラシ５３が、ギアモーター４２によって当該回転ブラシ機構５０を貫通して配設された吊りワイヤロープ５の周囲を周回するように構成されている。
【００２３】
回転軸５１は、図８のＡ−Ａ断面図である図９に示すように、支持フランジ５４に二組のベアリング５５を介して回転自在に支持され、支持フランジ５４のフランジ部５４Ａがギアケース４１の上面に締着されることで、ギアケース４１に鉛直且つ回転自在に装着されている。その上端には支持台５２が固定され、支持フランジ５４より下側に突出してギアケース４１内に位置する下端には、ギア６１が固定されている。また、その中心に長手方向に貫通するロープ挿通孔５１Ａが穿設されている。尚、図８は、左右の回転ブラシ機構５０を異なる断面状態で示しており、図中向かって左側の回転機構５０は支持フランジ５４及びギア６１を断面としていないものである。
【００２４】
支持台５２の上面の中央開口部と外縁部の間の領域には、支持台５２の対角線に沿ってそれぞれ板状で所定高さの支持板５６固定されている。つまり、四個の支持板５６が中央開口部に対して対称に配置されている。
【００２５】
ワイヤブラシ５３は、支持板５６と対応する平板状の基部５３Ａにワイヤ５３Ｂが植設されて形成され、ブラシ５３Ｂの毛先を中心側に向けた状態で基部５３Ａが支持板５６に締着固定されている。その毛先の位置は、支持台５２中央の吊りワイヤロープ挿通域と干渉するように設定されている。
【００２６】
ギアモーター４２は、いわゆるフランジ型のギアモーターであって、そのフランジ部を介してギアケース４１の下面に当該フランジ部から突出するスピンドル４２Ａをギアケース４１内に位置させて固定され、スピンドル４２Ａには駆動ギア６２が固定されている。
【００２７】
駆動ギア６２は、両回転ブラシ機構５０の回転軸５１の下端に固定されたギア６１と噛合し、これによって、両回転ブラシ機構５０の回転軸５１と偏心位置にあるギアモーター４２の駆動によって両回転ブラシ機構５０が回転駆動されるようになっている。つまり、ギア６１と駆動ギア６２が回転力伝達機構を形成し、両回転ブラシ機構５０は、その回転軸５１と偏心位置に配置されたギアモーター４２によって駆動されるようになっており、これによって駆動手段（ギアモーター４２）と干渉することなく回転軸５１内を吊りワイヤロープ５が挿通可能となっているものである。
【００２８】
ギアケース４１の下面を構成する底板４１Ａには、その回転ブラシ機構５０の回転軸５１のロープ挿通孔５１Ａと対応する位置に、ロープ挿通孔４１Ｂが開口形成されている。
【００２９】
上記のごとく構成された吊りロープクリーニング装置４０では、吊りワイヤロープ５が両回転ブラシ機構５０の回転軸５１及びギアケース４１の挿通孔５１Ａ，４１Ｂを上下に貫通して配設され、ギアモーター４２の駆動によって回転軸５１が回転駆動されると、四個のワイヤブラシ５３が吊りワイヤロープ５を中心としてその周囲を周回し、吊りワイヤロープ５と干渉するブラシ５３の毛先が吊りワイヤロープ５の外周面を擦り、付着した汚れや塵埃を除去するように作用する。
【００３０】
支持柱３２には、図１０に平面図を示すごとき二つのステー４３が固定され、このステー４３によってカバーパイプ４４（図５には示さず）が鉛直に支持されており、吊りロープクリーニング装置４０からエンドレスワインダー３６に至る吊りワイヤロープ５はこのカバーパイプ４４内に挿通され、吊りロープクリーニング装置４０によって塵埃が除去された吊りワイヤロープ５の部位に塵埃が再付着するのを防ぐようになっている。
【００３１】
上記のごとく構成された吊りロープクリーニング装置４０を備えたゴンドラ装置では、エンドレスワインダー３６の駆動によるゴンドラ装置の昇降と同期して吊りロープクリーニング装置４０が駆動され、エンドレスワインダー３６に引き込まれる吊りワイヤロープ５に付着した汚れや塵埃を除去する。これによって、エンドレスワインダー３６の内部への塵埃の蓄積を防ぐことができ、塵埃の蓄積によって故障を招来することがない。
【００３２】
尚、上記実施例は、本発明を煙突内で使用する円形のゴンドラを有するゴンドラ装置に適用したものであるが、これに限るものではなく通常の建築物の外壁に沿って昇降するゴンドラ装置に適用しても良いことはいうまでもなく、また、建築物の上部から垂下配設された吊りロープに沿ってゴンドラが昇降するように構成されたものでは、係合駆動機構の上下に塵埃除去装置を設けても良いものである。
【００３３】
【発明の効果】
以上述べたように、本発明に係るゴンドラ装置における吊りロープの塵埃除去装置では、ブラシ部材の毛先が回転軸に挿通された吊りロープ部材に当接し、回転力伝達機構を介して伝達される回転駆動手段の回転力によって回転軸が回転駆動されると、ブラシ部材が吊りロープ部材を中心として周回して吊りロープ部材の外周に付着した塵埃を除去する。これにより、吊りロープに付着した塵埃を除去することができ、係合駆動装置内に浸入した塵埃が蓄積されることによる作動不良等の不具合の発生を防止することができる。
【図面の簡単な説明】
【図１】本発明に係るゴンドラ装置における吊りロープの塵埃除去装置の一実施例を適用したゴンドラ装置の全体構成を示す側面図である。
【図２】吊り元構造物の平面図である。
【図３】屋根の平面図である。
【図４】ゴンドラの拡大平面図である。
【図５】ゴンドラの正面図である。
【図６】デッキを外周に増設した状態を示すゴンドラの平面図である。
【図７】塵埃除去装置配設部位の側面図である。
【図８】図７の平面図である。
【図９】図８のＡ−Ａ断面図である。
【図１０】カバーパイプを支持するステーの平面図である。
【符号の説明】
５  吊りワイヤロープ（吊りロープ部材）
３０  ゴンドラ
３６  エンドレスワインダー（係合駆動装置）
４０  吊りロープクリーニング装置（塵埃除去装置）
４２  ギアモーター（回転駆動手段）
５１  回転軸
５３  ブラシ（ブラシ部材）
６１  ギア（回転力伝達機構）
６２  駆動ギア（回転力伝達機構）
【図１】
0003556003.tif 000002
【図２】
0003556003.tif 000003
【図３】
0003556003.tif 000004
【図４】
0003556003.tif 000005
【図５】
0003556003.tif 000006
【図６】
0003556003.tif 000007
【図７】
0003556003.tif 000008
【図８】
0003556003.tif 000009
【図１０】
0003556003.tif 000010
【図９】
0003556003.tif 000011